(57)【要約】［課題］時間を要さずに異常の発生箇所を特定することができる監視装置を提供する。［解決手段］受信手段１と、監視手段２を備えている。受信手段１は、伝送路に送信した制御信号の光パワーのレベル変動の情報を取得する。監視手段２は、制御信号の光パワーのレベル変動が所定の条件を満たさないとき、伝送路に出力する光パルスの後方散乱光を基に、伝送路の監視を行う。
2020022310.tif 000002
【特許請求の範囲】
【請求項１】
伝送路に送信した制御信号の光パワーのレベル変動の情報を取得する受信手段と、
前記制御信号の光パワーのレベル変動が所定の条件を満たさないとき、前記伝送路に出力する光パルスの後方散乱光を基に、前記伝送路の監視を行う監視手段と
を備えることを特徴とする監視装置。
【請求項２】
前記制御信号の光パワーのレベル変動が前記所定の条件を満たすときの前記光パルスの後方散乱光の測定データを保存する記憶手段をさらに備え、
前記監視手段は、前記記憶手段に保存されている前記測定データと、前記光パルスの後方散乱光の測定結果との比較を基に、前記伝送路の異常の有無を判断することを特徴とする請求項１に記載の監視装置。
【請求項３】
前記監視手段は、前記制御信号の光パワーのレベル変動が前記所定の条件を満たすときに、前記光パルスを所定の時間ごとに前記伝送路に出力させ、出力した前記光パルスの後方散乱光の測定データを取得し、取得した前記測定データを前記記憶手段に保存することを特徴とする請求項２に記載の監視装置。
【請求項４】
前記光パルスを前記伝送路に送信し、前記光パルスの後方散乱光の光パワーを測定する送受信手段をさらに備え、
前記監視手段は、前記送受信手段が測定した前記光パルスの後方散乱光の光パワーの測定データを前記記憶手段に保存することを特徴とする請求項２または３に記載の監視装置。
【請求項５】
前記監視手段は、前記伝送路上の異常個所を特定し、特定した異常個所の情報を出力することを特徴とする請求項１から４いずれかに記載の監視装置。
【請求項６】
前記監視手段は、前記伝送路を介して他の装置から受信する第２の制御信号の光パワーのレベル変動が前記所定の条件を満たさないとき、前記第２の制御信号の光パワーに異常が生じている情報を前記第２の制御信号の送信元に送信することを特徴とする請求項１から５いずれかに記載の監視装置。
【請求項７】
伝送路を伝送される信号光の光パワーを増幅する光増幅器と、
請求項１から５いずれかに記載の監視装置と
を備え、
前記監視装置は、前記光増幅器の出力側において前記制御信号および前記光パルスを出力し、前記光パルスの後方散乱光の測定を行うことを特徴とする光中継器。
【請求項８】
伝送路に送信した制御信号の光パワーのレベル変動の情報を取得し、
前記制御信号の光パワーのレベル変動が所定の条件を満たさないとき、前記伝送路に出力する光パルスの後方散乱光を基に、前記伝送路の監視を行うことを特徴とする監視方法。
【請求項９】
前記制御信号の光パワーのレベル変動が前記所定の条件を満たすときの前記光パルスの後方散乱光の測定データを記憶装置に保存し、
保存されている前記測定データと、前記光パルスの後方散乱光の測定結果との比較を基に、前記伝送路の異常の有無を判断することを特徴とする請求項８に記載の監視方法。
【請求項１０】
前記光パルスを前記伝送路に送信し、前記光パルスの後方散乱光の光パワーを測定し、
測定した前記光パルスの後方散乱光の光パワーの測定データを前記記憶装置に保存することを特徴とする請求項９に記載の監視方法。
【発明の詳細な説明】
【技術分野】
【０００１】
本発明は、光通信技術に関するものであり、特に、伝送路の異常の有無を監視する技術に関するものである。
【背景技術】
【０００２】
光通信ネットワークが広く用いられるようになり、通信の安定性や安全性の確保が重要になっている。光通信ネットワークでは、光ファイバの損傷による通信の障害や、タッピングと呼ばれる盗聴行為による安全性の低下が生じ得る。タッピングによる盗聴行為は、例えば、光ファイバの被覆を剥いで光ファイバに盗聴用の機器を接続することで行われる。【０００３】
通信の安定性や安全性の確保するためには、光ファイバの損傷や盗聴の恐れが生じた際に、損傷や盗聴の発生箇所を特定し迅速に対応することが重要となる。そのため、光ファイバの損傷や盗聴の恐れが生じた際に、発生箇所の特定は、素早く行えることが望ましい。そのような背景から、光通信ネットワークにおいて、光ファイバの損傷や盗聴の恐れを検知する技術や発生箇所の特定を行う技術の開発が行われている。そのような、光ファイバの損傷や盗聴の発生の検知等を行う技術としては、例えば、特許文献１のような技術が開示されている。【０００４】
特許文献１は、光通信ネットワークの監視装置に関するものである。特許文献１の監視装置は、光スイッチを介して複数の伝送路と接続されているＯＴＤＲ（Optical Time Domain Reflectometer）を有している。特許文献１の監視装置は、光スイッチを切り替えることで、伝送路ごとにＯＴＤＲ測定を実施し、各伝送路の異常の有無を確認している。
【先行技術文献】
【特許文献】
【０００５】
【特許文献１】特表２０１７−５２１９８１号公報
【発明の概要】
【発明が解決しようとする課題】
【０００６】
しかしながら、特許文献１の技術は次のような点で十分ではない。特許文献１の監視装置は、スイッチを切り替えることで伝送路ごとに管理フレームを送信し、異常があった伝送路についてＯＴＤＲ測定を実行している。そのため、伝送路ごとの異常の有無を確認するためには、スイッチを切り替えながら全ての伝送路に管理フレームを送信し、異常が検知された伝送路についてＯＴＤＲ測定を実行する必要がある。しかし、特許文献１の監視装置は、異常の発生している伝送路を検知するまでに時間を要する恐れがある。また、特許文献１の監視装置は、複数の中継器を介して接続されたような長距離の伝送路上における異常の発生箇所を特定する際には精度が低下する恐れがある。そのため、特許文献１は、光ファイバの障害の発生箇所の特定を、時間を要さずに正確に行う技術としては十分ではない。【０００７】
本発明は、上記の課題を解決するため、障害の発生箇所の特定を、時間を要さずに正確に行うことができる監視装置を提供することを目的としている。
【課題を解決するための手段】
【０００８】
上記の課題を解決するため、本発明の監視装置は、受信手段と、監視手段を備えている。受信手段は、伝送路に送信した制御信号の光パワーのレベル変動の情報を取得する。監視手段は、制御信号の光パワーのレベル変動が所定の条件を満たさないとき、伝送路に出力する光パルスの後方散乱光を基に、伝送路の監視を行う。【０００９】
本発明の監視方法は、伝送路に送信した制御信号の光パワーのレベル変動の情報を取得し、制御信号の光パワーのレベル変動が所定の条件を満たさないとき、伝送路に出力する光パルスの後方散乱光を基に、伝送路の監視を行う。
【発明の効果】
【００１０】
本発明によると、障害の発生箇所の特定を、時間を要さずに正確に行うことができる。
【図面の簡単な説明】
【００１１】
【図１】本発明の第１の実施形態の構成の概要を示す図である。
【図２】本発明の第２の実施形態の構成の概要を示す図である。
【図３】本発明の第２の実施形態の端局装置の構成を示す図である。
【図４】本発明の第２の実施形態の監視装置の構成を示す図である。
【図５】本発明の第２の実施形態の監視装置の構成の例を示す図である。
【図６】本発明の第２の実施形態において測定される散乱光強度の例を示す図である。
【図７】本発明の第２の実施形態の動作フローを示す図である。
【図８】本発明の第２の実施形態の動作フローを示す図である。
【図９】本発明の第２の実施形態における異常の発生箇所の例を模式的に示した図である。
【図１０】本発明の第２の実施形態において異常が生じた際の動作を模式的に示した図である。
【図１１】本発明の第２の実施形態において異常が生じた際の動作を模式的に示した図である。
【図１２】本発明の第２の実施形態において異常が生じた際の動作を模式的に示した図である。
【発明を実施するための形態】
【００１２】
（第１の実施形態）
本発明の第１の実施形態について図を参照して詳細に説明する。図１は、本実施形態の監視装置の構成の概要を示した図である。本実施形態の監視装置は、受信手段１と、監視手段２を備えている。受信手段１は、伝送路に送信した制御信号の光パワーのレベル変動の情報を取得する。監視手段２は、制御信号の光パワーのレベル変動が所定の条件を満たさないとき、伝送路に出力する光パルスの後方散乱光を基に、伝送路の監視を行う。
【００１３】
本実施形態の監視装置は、伝送路に出力した制御信号の光パワーのレベル変動が所定の条件を満たさないとき、光パルスの後方散乱光を基に伝送路の監視を行っている。本実施形態の監視装置は、設置されている伝送路における制御信号の光パワーのレベル変動が所定の条件を満たさないときに、伝送路の監視を行うこと異常が生じてから時間を要さずに異常の有無の判断と発生箇所の特定を行うことができる。その結果、本実施形態の監視装置を用いることで、障害の発生箇所の特定を、時間を要さずに正確に行うことができる。
【００１４】
（第２の実施形態）
本発明の第２の実施形態について図を参照して詳細に説明する。図２は、本実施形態の光通信システムの構成の概要を示した図である。本実施形態の光通信システムは、端局装置間で伝送路を介して波長多重信号の送受信を行う光通信ネットワークである。
【００１５】
本実施形態の光通信システムは、第１の端局装置１１と、第２の端局装置１２と、通信制御装置１３と、伝送路１４を備えている。第１の端局装置１１と第２の端局装置１２は、伝送路１４を介して接続されている。
【００１６】
伝送路１４は、光増幅器２１と、光増幅器２２と、監視装置２３をさらに備えている。光増幅器２１は、光増幅器２１−１から光増幅器２１−ＮのＮ台（Ｎは、整数）、備えられている。また、光増幅器２２は、光増幅器２１と対応するように光増幅器２２−１から光増幅器２２−ＮのＮ台、備えられている。監視装置２３は、光増幅器２１および光増幅器２２と対応するように、監視装置２３−１から監視装置２３−ＮのＮ台、備えられている。
【００１７】
第１の端局装置１１および第２の端局装置１２の構成について説明する。図３は、第１の端局装置１１および第２の端局装置１２の構成を端局装置３０として示したものである。図３に示すように端局装置３０は、送信器３１と、受信器３２と、監視装置３３を備えている。
【００１８】
送信器３１は、端局装置３０に入力されたクライアント信号を基に、伝送路１４において伝送する各チャネルの光信号を生成し、波長多重信号として出力する。送信器３１は、入力された信号を基に各チャネルに対応する波長の光信号を生成する光送信モジュールと、各波長の光信号を合波する合波素子を備えている。
【００１９】
受信器３２は、伝送路から入力された波長多重信号を分波し、各チャネルの光信号を復号してクライアント信号として出力する。受信器３２は、入力された波長多重信号を分波する分波素子と、各波長の光信号の受信処理を行う光受信モジュールを備えている。
【００２０】
監視装置３３の構成について説明する。図４は、本実施形態の監視装置３３の構成を示した図である。監視装置３３は、送受信部１０１と、監視制御部１０２と、記憶部１０３を備えている。
【００２１】
送受信部１０１は、ＯＳＣ（Optical Supervisory Channel）光およびＯＴＤＲ（Optical Time Domain Reflectometer）測定用の光パルスを出力する光源と、ＯＳＣ光およびＯＴＤＲ測定用の光パルスを検出する受光素子を備えている。また、送受信部１０１は、受光素子が受光した光の光パワーを測定する機能を有する。送受信部１０１は、光パワーの測定結果を監視制御部１０２に出力する。
【００２２】
ＯＳＣ光およびＯＴＤＲ測定用の光パルスは、送信器３１から出力された波長多重信号と合波され伝送路１４に送信される。合波素子は、例えば、ＡＷＧ（Arrayed waveguide gratings）を用いて構成されている。合波素子は、波長選択スイッチ等の他の光学素子を用いて構成されていてもよい。
【００２３】
監視制御部１０２は、送受信部１０１のＯＳＣ光およびＯＴＤＲ測定用の光パルスを伝送路に送信する動作を制御する。
【００２４】
また、送受信部１０１は、他の監視装置２３や端局装置から送られてくるＯＳＣ光を受信する。送受信部１０１は、受信したＯＳＣ光を監視制御部１０２に送る。
【００２５】
監視制御部１０２は、ＯＳＣ光およびＯＴＤＲ測定用の光パワーの測定結果を基に異常の有無を判断する機能を有する。監視制御部１０２は、ＯＴＤＲ測定結果をあらかじめデータベースとして保存している基準データを比較し、異常の有無を判断する。また、監視制御部１０２は、ＯＴＤＲ測定結果を基に異常が発生した位置を推定する。また、監視制御部１０２は、正常時のＯＴＤＲの測定結果を記憶部１０３に保存する。
【００２６】
監視制御部１０２は、ＯＳＣ光の光パワーの変動が基準以上であることを検知すると、上流の監視装置２３にＯＳＣ光の光パワーに変動が生じたことを示す情報を送信する。以下の説明において上流とは、伝送路１４を伝送される波長多重信号の送信元の側のことをいい、下流とは、伝送路１４を伝送される波長多重信号の送信先の側のことをいう。
【００２７】
監視制御部１０２は、下流の監視装置２３からＯＳＣ光に変動が生じたことを示す通知を受け取ると、送受信部１０１を制御してＯＴＤＲ測定用の光パルスの出力および後方散乱光の測定を実行する。
【００２８】
監視制御部１０２は、ＯＴＤＲの測定結果を基に、異常が生じている箇所までの距離を特定する。監視制御部１０２は、異常が生じた箇所までの距離を算出すると、異常が生じたことを示す情報と、異常が生じた箇所の情報および過剰損失の情報等を通信制御装置１３に送信する。
【００２９】
記憶部１０３は、ＯＴＤＲ測定の結果を保存する機能を有する。記憶部１０３は、ＯＳＣ光が正常であるときのＯＴＤＲ測定の測定データを、ＯＴＤＲ測定の測定日時と測定データを関連づけて保存している。測定データは、時間に対する後方散乱光の光パワーのデータとして記録されている。
【００３０】
通信制御装置１３は、光通信システムの監視や端局装置の制御等を行う。通信制御装置１３は、監視装置から伝送路の異常を示す情報および発生箇所の情報を受け取ったときに、表示等によって異常の発生と発生箇所の情報を作業者等に通知する。
【００３１】
光増幅器２１は、第１の端局装置１１から第２の端局装置１２に伝送される波長多重信号の信号光の光パワーを増幅する。本実施形態の光増幅器２１は、ＥＤＦＡ（Erbium Doped Fiber Optical Amplifier）と励起光源を備えている。
【００３２】
光増幅器２１は、ＥＤＦＡの前段、すなわち、入力側に波長多重信号とＯＳＣ光およびＯＴＤＲの光パルスを分波する分波素子を備えている。分波素子は、例えば、ＡＷＧを用いて構成され、ＯＳＣ光およびＯＴＤＲ測定用に割り当てられた波長の光と波長多重信号の信号光を分波する。光増幅器２１は、ＯＳＣ光およびＯＴＤＲ測定用の光を送受信部１０１に送る。
【００３３】
また、光増幅器２１は、後段側、すなわち、出力側にＯＳＣ光およびＯＴＤＲ測定用の光パルスをＥＤＦＡで光パワーが増幅された波長多重信号に合波する合波素子を備えている。合波素子は、ＡＷＧを用いて構成されている。合波素子には、ＯＴＤＲ測定用の光パルスの後方散乱光が伝送路１４から入射され、監視装置２３に送られる。
【００３４】
光増幅器２２は、第２の端局装置１２から第１の端局装置１１に伝送される波長多重信号の信号光の光パワーを増幅する。本実施形態の光増幅器２１は、ＥＤＦＡ（Erbium Doped Fiber Optical Amplifier）と励起光源を備えている。
【００３５】
光増幅器２２は、ＥＤＦＡの前段、すなわち、入力側に波長多重信号とＯＳＣ光およびＯＴＤＲの光パルスを分波する分波素子を備えている。分波素子は、例えば、ＡＷＧを用いて構成され、ＯＳＣ光およびＯＴＤＲ測定用に割り当てられた波長の光と波長多重信号の信号光を分波する。光増幅器２２は、ＯＳＣ光およびＯＴＤＲ測定用の光パルスを送受信部１０１に送る。
【００３６】
また、光増幅器２２は、後段側、すなわち、出力側にＯＳＣ光およびＯＴＤＲ測定用の光パルスをＥＤＦＡで光パワーが増幅された波長多重信号に合波する合波素子を備えている。合波素子は、ＡＷＧを用いて構成されている。
【００３７】
監視装置２３の構成について説明する。図５は、本実施形態の監視装置２３の構成を示した図である。監視装置２３は、送受信部１１１と、監視制御部１１２と、記憶部１１３を備えている。
【００３８】
送受信部１１１は、ＯＳＣ光およびＯＴＤＲ測定用の光パルスを出力する光源と、ＯＳＣ光およびＯＴＤＲ測定用の光パルスの後方散乱光を検出する受光素子を備えている。ＡＷＧを介して伝送路から入力されるＯＴＤＲ測定用の光パルスの後方散乱光は、方向性結合器によって受光素子のみに送られる。また、送受信部１１１は、受光素子が受光した光の光パワーを測定する機能を有する。
【００３９】
送受信部１１１は、光パワーの測定結果を監視制御部１１２に出力する。また、本実施形態の送受信部１１１の機能のうち、他の装置から送られてくるＯＳＣの信号光を受信する機能は、第１の実施形態の受信手段１に相当する。
【００４０】
監視制御部１１２は、送受信部１１１のＯＳＣ光およびＯＴＤＲ測定用の光パルスを伝送路に送信する動作を制御する。
【００４１】
監視制御部１１２は、ＯＳＣ光およびＯＴＤＲ測定用の光パワーの測定結果を基に異常の有無を判断する機能を有する。図６は、後方散乱光の測定結果を模式的に示した図である。図６は、光パルスを出力してからの経過時間に対する後方散乱光の光パワーを測定した結果を示したものである。
【００４２】
測定される後方散乱光は、光パルスの出力地点から時間に比例して離れた距離を反映した結果となるため、図６の横軸は距離に対応している。光ファイバの折り曲げやタッピング等が生じると、その箇所での損失が大きくなるため、異常が生じた箇所では、散乱光の強度が図６のように不連続で変化する。そのため、図６のように不連続に変化する箇所を検出し、光パルスを出力してからの時間を、光の伝搬速度等を基に距離に換算することで異常が生じた箇所までの距離を算出することができる。
【００４３】
監視制御部１１２は、正常時のＯＴＤＲの測定結果を記憶部１１３に保存する。監視制御部１１２は、例えば、正常時のＯＴＤＲの複数の測定データについて光パルスの出力からの経過時間ごとに後方散乱光の光パワーの平均を算出し、平均値と測定値との差があらかじめ設定された値以上になったときに異常が生じていると判断する。監視制御部１１２は、平均値と測定値との差があらかじめ設定された値以上になった時間があらかじめ設定された時間以上、継続したときに異常が生じていると判断してもよい。そのような、構成とすることで、一時的なゆらぎの影響を抑制し、異常の発生を正しく検出できるようになる。
【００４４】
監視制御部１１２は、ＯＳＣ光の光パワーの変動が基準以上であることを検知すると、上流の監視装置２３にＯＳＣの光パワーに異常が生じたことを示す情報を、ＯＳＣを介して送信する。
【００４５】
監視制御部１１２は、下流の監視装置２３からＯＳＣ光に異常が生じたことを示す通知を受け取ると、送受信部１１１を制御しての光パルスを出力し、ＯＴＤＲ測定を実行する。
【００４６】
監視制御部１１２は、ＯＴＤＲの測定データを基に、異常が生じている箇所までの距離を特定する。監視制御部１１２は、異常が生じたことを示す情報と、異常が生じた箇所の情報および過剰損失の情報等を第１の端局装置１１または第２の端局装置１２を介して通信制御装置１３に送信する。また、本実施形態の監視制御部１１２の機能のうち、光パワーのレベル変動が所定の条件を満たさないときの光パルスの出力および後方散乱光の測定を制御する機能は、第１の実施形態の監視手段２に相当する。
【００４７】
記憶部１１３は、ＯＴＤＲの測定結果を保存する機能を有する。記憶部１１３は、ＯＳＣ光の光パワーの変動が正常範囲であるときのＯＴＤＲ測定の測定データを、ＯＴＤＲ測定の測定日時と測定データを関連づけてデータベースとして保存している。測定データは、光パルスを出力してからの経過時間に対する後方散乱光の光パワーのデータとして記録されている。測定データには、温度データ等の環境データがさらに関連づけられていてもよい。
【００４８】
本実施形態の光通信システムの動作について説明する。図７および図８は、実施形態の光通信システムにおいて異常の有無の監視を行う際の監視装置の動作フローを示す図である。図７は、互いに隣接する監視装置のうち上流側の装置の動作フローを示している。また、図８は、互いに隣接する監視装置のうち下流側の装置の動作フローを示している。
【００４９】
以下の説明では、監視装置２３−２と監視装置２３−３の間の区間において、監視装置２３−２側を上流側とする動作を例に説明する、他の監視装置２３間並びに第１の端局装置１１および第２の端局装置１２の監視装置３３と隣接する監視装置２３の間でも同様の動作が行われる。
【００５０】
通常時、上流側の監視装置２３−２の監視制御部１１２は、送受信部１１１を介してＯＳＣ光を伝送路１４に送信する（ステップＳ１１）。ＯＳＣ光は、制御信号またはダミー信号を基に生成される。
【００５１】
下流側の監視装置２３−３の監視制御部１１２は、送受信部１１１でＯＳＣ光を受信する（ステップＳ２１）。監視制御部１１２は、送受信部１１１で受信するＯＳＣ光パワーの変動を監視し、変動量が所定の基準内であるかを判断する。ＯＳＣ光の光パワーの変動が所定の基準内のとき（ステップＳ２２でＹｅｓ）、監視制御部１１２は、送受信部１１１において測定されるＯＳＣ光の光パワーの監視を継続する。
【００５２】
上流側の監視装置２３−２の監視制御部１１２は、下流の監視装置２３−３から送られてくるＯＳＣ光の異常を示す情報の受信の有無を確認する。異常の情報を受信していないとき、すなわち、ＯＳＣ光が正常であるとき（ステップＳ１２でＹｅｓ）、監視制御部１１２は、前回、ＯＴＤＲ測定を行ったときからの経過時間を確認する。
【００５３】
ＯＴＤＲ測定を行ってから所定の時間が経過していないとき（ステップＳ１７でＮｏ）、監視制御部１１２は、ステップＳ１１におけるＯＳＣ光の送信の制御を継続する。ＯＴＤＲ測定の要否を判断する際の基準となる所定の時間は、あらかじめ設定されている。
【００５４】
ＯＴＤＲ測定を行ってから所定の時間が経過しているとき（ステップＳ１７でＹｅｓ）、監視制御部１１２は、送受信部１１１を制御してＯＴＤＲ測定を実行する（ステップＳ１８）。
【００５５】
ＯＴＤＲ測定を開始すると、送受信部１１１は、光パルスを出力し、経過時間ごとの後方散乱光の光パワーを測定する。送受信部１１１は、ＯＴＤＲ測定の測定データを監視制御部１１２に送る。
【００５６】
ＯＴＤＲ測定データを受け取ると、監視制御部１１２は、測定データを測定日時の情報と関連づけて記憶部に保存する（ステップＳ１９）。測定データを保存すると、監視制御部１１２は、ステップＳ１１におけるＯＳＣ光の送信の制御を継続する。
【００５７】
下流側の監視装置２３−３においてＯＳＣ光を受信した際に、ＯＳＣ光の光パワーの変動量が所定の基準よりも大きいとき（ステップS２２でNo）、監視制御部１１２は、送受信部１１１を介して、ＯＳＣ光の送信元にＯＳＣ光の異常が生じていることを示す情報を送信する（ステップＳ２３）。
【００５８】
上流側の監視装置２３−２の監視制御部１１２は、受信信号からＯＳＣ光に異常が生じていることを示す情報を検知すると（ステップＳ１２でＮｏ）、送受信部１１１を制御してＯＴＤＲ測定を実行する（ステップＳ１３）。
【００５９】
ＯＴＤＲ測定を開始すると、送受信部１１１は、光パルスを出力し、経過時間ごとの後方散乱光の光パワーを測定する。送受信部１１１は、ＯＴＤＲ測定の測定データを監視制御部１１２に送る。
【００６０】
監視制御部１１２は、ＯＴＤＲ測定の測定データを受け取ると、受け取った測定データと記憶部１１３に保存されている正常時の測定データを比較する（ステップＳ１４）。
【００６１】
測定データと正常時のデータを比較した際に、測定データと正常時の測定データとの差が基準内であるとき（ステップＳ１５でＹｅｓ）、監視制御部１１２は、光ファイバに折り曲げやタッピングが生じていない正常な状態であると判断する。正常な状態であると判断すると、監視制御部１１２は、ステップＳ１１におけるＯＳＣ光の送信の制御を継続する。また、ＯＳＣ光に変動がありＯＴＤＲ測定で異常が無いと判断された場合に、監視制御部１１２は、異常の徴候が生じているとして通信制御装置１３に、ＯＳＣ光に変動がありＯＴＤＲ測定で異常が無いことを示す情報を送信してもよい。
【００６２】
測定データと正常時のデータを比較した際に、測定データと正常時の測定データとの差が基準以上であるとき（ステップＳ１５でＮｏ）、監視制御部１１２は、光ファイバ等に異常が生じていると判断する。光ファイバ等に異常が生じていると判断すると、監視制御部は１１２、通信制御装置１３に異常が生じていることを示す情報を送信する（ステップＳ１６）。
【００６３】
図９乃至図１２は、本実施形態の光通信システムにおいて、光増幅器２１−２と光増幅器２１−３の間で異常が発生した場合の動作の例について模式的に示した図である。
【００６４】
図９に示すように光増幅器２１−２と光増幅器２１−３の間で伝送路１４の光ファイバの損傷やタッピング等が生じると、監視装置２３−３は、受信するＯＳＣ光の光パワーの変動を検知する。
【００６５】
ＯＳＣ光の光パワーの変動があらかじめ設定された基準を超えて、所定の条件を満たさなくなると、監視装置２３−３は、監視装置２３−２にＯＳＣ光に異常が生じている情報を送信する。図１０は、監視装置２３−３は、監視装置２３−２にＯＳＣ光に異常が生じていることを示す情報を通知する動作を模式的に示した図である。監視装置２３−３は、異常を検出した方向とは逆方向の光ファイバを介してＯＳＣを用いてＯＳＣ光に異常が生じている情報を送信する。
【００６６】
監視装置２３−２は、ＯＳＣ光に異常が生じている情報を受信すると、監視装置２３−２と監視装置２３−３の間の伝送路においてＯＴＤＲ測定を実行する。図１１は、監視装置２３−２が、監視装置２３−２と監視装置２３−３の間の伝送路において行うＯＴＤＲ測定の動作を模式的に示した図である。
【００６７】
ＯＴＤＲ測定の結果、伝送路に異常が生じていると判断すると、監視装置２３−２は、異常が生じている箇所を特定する。異常の箇所を特定すると、監視装置２３−２は、第１の端局装置１１を介して通信制御装置１３に、光ファイバに異常が生じていることを示す情報と異常の箇所の情報を送信する。図１２は、監視装置２３−２が第１の端局装置１１を介して通信制御装置１３に、光ファイバに異常が生じていることを示す情報を送信する動作を模式的に示した図である。
【００６８】
通信制御装置１３は、光ファイバに異常が生じていることを示す情報を受け取ると、異常が生じていることを示す情報と、異常が生じている位置の情報を画面表示などにより作業者等に通知する。このように、ＯＳＣ光の光パワーを監視し、基準以上の変動が生じた区間でＯＴＤＲ測定を実行することで異常の有無の判断と発生箇所の特定を行うことで、異常の箇所の特定に要する時間を抑制することができる。
【００６９】
本実施形態の光通信システムは、伝送路に備えられた監視装置において上流から送られてくるＯＳＣの信号光の光パワーを監視し、光パワーの変動が所定の条件を超えたときに上流の監視装置によってＯＴＤＲ測定が行われている。本実施形態の光通信システムは、ＯＳＣにおいて常時、送受信されている信号光の監視を行い、異常があったときに該当区間でＯＴＤＲ測定を行うことで、異常の検知と発生箇所の特定を素早く行うことができる。また、ＯＳＣの信号光を監視対象とすることで、異常の検知に必要な装置構成を簡略化することができる。
【００７０】
第２の実施形態において、各監視装置は、ＯＳＣ光の光パワーの変動レベルが基準を超えたことを示す通知を下流の監視装置から受けたときに、下流の伝送路にＯＴＤＲ測定用の光パルスを出力している。そのような構成に代えて、ＯＳＣ光の光パワーの変動レベル基準を超えたことを検知した監視装置が、上流側にＯＴＤＲ測定用の光パルスを出力してＯＴＤＲの測定を行ってもよい。上流側でＯＴＤＲ測定を行う構成とすることで、ＯＳＣ光の光パワーのレベル変動を検知する装置とＯＴＤＲ測定を行う装置が同じ監視装置となるため、1台の監視装置によって自律的に異常の有無および異常個所の特定が可能となる。そのため、1区間において信号光の伝送に障害が発生している場合に、反対側の端局装置を介して異常の発生および発生箇所の情報の通知が可能になる。
【００７１】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００７２】
この出願は、２０１８年７月２７日に出願された日本出願特願２０１８−１４１１８７を基礎とする優先権を主張し、その開示の全てをここに取り込む。
【符号の説明】
【００７３】
１    受信手段
２    監視手段
１１    第１の端局装置
１２    第２の端局装置
１３    通信制御装置
１４    伝送路
２１    光増幅器
２２    光増幅器
２３    監視装置
３０    端局装置
３１    送信器
３２    受信器
３３    監視装置
１０１    送受信部
１０２    監視制御部
１０３    記憶部
１１１    送受信部
１１２    監視制御部
１１３    記憶部
【図１】
2020022310.tif 000003
【図２】
2020022310.tif 000004
【図３】
2020022310.tif 000005
【図４】
2020022310.tif 000006
【図５】
2020022310.tif 000007
【図６】
2020022310.tif 000008
【図７】
2020022310.tif 000009
【図８】
2020022310.tif 000010
【図９】
2020022310.tif 000011
【図１０】
2020022310.tif 000012
【図１１】
2020022310.tif 000013
【図１２】
2020022310.tif 000014
【国際調査報告】
2020022310.tif 000015
2020022310.tif 000016
2020022310.tif 000017
2020022310.tif 000018